(57)【要約】  放射線検出器12のシリンダ10が、非一様な時間変化する時間的遅延を持つ対応する電子検出器チャネル22を用いて放射線ペアを検出する。放射線ペアを同時に放出する複数の較正放射線源20がシリンダ内部の知られた位置に取り付けられる。較正源からの放射線ペアの相対検出時間におけるエラーを決定するため、時間訂正プロセッサ46が、較正源の知られた位置を使用し、かつ、画像化される対象物に注入される放射線医薬品から放射線ペアの相対検出時間に対する訂正を生成するため、その決定されたエラーを使用する。
2008528996.tif 000002
【特許請求の範囲】
【請求項１】
同時的なガンマ放射線ペアを放出する放射線医薬品が注入される対象物をイメージングボアにおいて支持する患者支持台と、
前記放射線ペアを検出するため前記ボアを囲む放射線検出器のシリンダであって、前記検出器がそれぞれ、非一様な時間変化するドリフトを持つ複数の電子検出器チャネルにおける対応する１つに含まれる、シリンダと、
前記放射線検出器のシリンダの内側かつ前記対象物の外側に配置され、同時に放射線ペアを放出する複数の較正放射線源と、
検出された放射線イベントのペアが、選択された一致窓内で発生したかどうかを決定する一致検出器と、
放射性医薬品から一致放射線ペアの検出位置を画像表現に再構成する再構成プロセッサと、
前記較正放射線源から受信される放射線ペアに基づき、前記放射性医薬品からの一致ペアの検出時間における時間的な関係に対する時間的な訂正を決定する訂正プロセッサとを有する診断イメージング装置。
【請求項２】
前記対象物の放射性医薬品と前記較正放射線源とから前記放射線ペアの前記放射線イベントの前記検出間の時間間隔を決定するタイムオブフライト検出器を更に含む、請求項１に記載の診断イメージング装置。
【請求項３】
前記一致検出器から各一致ペアの検出位置と相対検出時間とを格納するリストモードストレージを更に含む、請求項２に記載の診断イメージング装置。
【請求項４】
少なくとも一部分において、前記較正メモリ訂正プロセッサから受信されるデータに基づき、前記リストモードストレージに格納される相対検出時間を調整する訂正プロセッサを更に含む、請求項２に記載の診断イメージング装置。
【請求項５】
前記検出時間の間の前記決定された時間間隔に基づき、各一致放射線ペアに対応する光線セグメントを決定する光線セグメントプロセッサを更に含む、請求項２に記載の診断イメージング装置。
【請求項６】
前記再構成プロセッサが前記光線セグメントを前記診断画像表現に再構成し、
前記再構成された診断画像表現を格納する診断画像メモリと、
前記診断画像メモリからデータを取得し、該データを出力デバイス上での表示に適した適切な形式及びフォーマットに変換するビデオプロセッサとを更に含む、請求項５に記載の診断イメージング装置。
【請求項７】
前記較正プロセッサが、
前記較正放射線源の位置を格納する位置メモリと、
各較正源放射線ペアを放出した前記較正放射線源を特定する較正源識別ルーチンと、
前記較正源放射線ペアに対して、前記較正放射線ペアが前記対応する検出器チャネルに実際に到達した時間差を決定する時間的差分時間ルーチンとを含む、請求項２に記載の診断イメージング装置。
【請求項８】
前記タイムオブフライト検出器からの時間間隔と、前記時間的差分時間ルーチンからの時間差とを比較する時間的較正エラールーチンを更に含む、請求項７に記載の診断イメージング装置。
【請求項９】
対応する検出器チャネルにおける処理遅延の変動に対するイベントの相対検出時間を調整する検出時間訂正回路と、
前記検出時間訂正回路に訂正を提供する較正メモリとを更に含む、請求項７に記載の診断イメージング装置。
【請求項１０】
時間的な訂正を決定するため、前記測定されたタイムオブフライト時間間隔と前記時間的差分ルーチンからの前記決定された時間的差分との間の差を解析する時間的較正エラールーチンと、
前記決定された訂正に基づき、前記較正メモリを更新する較正メモリ更新ルーチンとを更に含む、請求項９に記載の診断イメージング装置。
【請求項１１】
前記対象物受け部ボアを規定する放射線透過シリンダを更に含み、前記複数の較正放射線源が前記放射線透過シリンダに取り付けられる、請求項１に記載の診断イメージング装置。
【請求項１２】
前記較正放射線源が、前記放射線透過シリンダの周りに間隔を空けて配置される少なくとも３つの放射線源を含む、請求項１１に記載の診断イメージング装置。
【請求項１３】
前記較正放射線源が、線状源と点状源との少なくとも一方を含む、請求項２に記載の診断イメージング装置。
【請求項１４】
診断イメージングの方法において、
非一様な時間変化するドリフトを持つ検出器チャネルで少なくとも１つの放射性医薬品放射線源からのガンマ放射線ペアを受信するステップと、
前記検出器チャネルで複数の較正放射線放出源からガンマ放射線ペアを受信するステップと、
前記放射性医薬品放射線源と前記較正源とからの一致検出放射線ペアを決定するステップと、
前記較正放射線源から受信される前記放射線ペアに基づき、前記非一様な時間変化するドリフトに対する時間的な訂正を決定するステップと、
前記放射性医薬品源からの前記一致ペアの検出位置を画像表現に再構成するステップとを有する、方法。
【請求項１５】
較正メモリを用いて、前記非一様な検出器チャネルドリフトを訂正するステップを更に含む、請求項１４に記載の方法。
【請求項１６】
前記対象物の放射性医薬品と前記較正放射線源とからの前記放射線ペアの放射線イベントの検出間のタイムオブフライト時間間隔を決定するステップを更に含む、請求項１４に記載の方法。
【請求項１７】
各一致放射線ペアに対して、検出位置と相対検出時間とを格納するステップを更に含む、請求項１６に記載の方法。
【請求項１８】
各較正源放射線ペアを放出した前記較正放射線源を特定するステップと、
前記較正放射線源ペアから相対検出時間訂正を決定するステップとを更に含む、請求項１７に記載の方法。
【請求項１９】
前記時間的較正メモリの前記訂正を決定するために、前記相対検出時間訂正を解析するステップを更に含む、請求項１８に記載の方法。
【請求項２０】
前記相対検出時間訂正に基づき、前記放射性医薬品から前記格納された一致放射線ペアの前記相対検出時間を調整するステップを更に含む、請求項１８に記載の方法。
【請求項２１】
前記対象物をイメージングする前に、前記較正源を除去するステップを更に含む、請求項１４に記載の方法。
【請求項２２】
前記較正放射線源と前記放射性医薬品源とからの放射線ペアが同時に受信される、請求項１４に記載の方法。
【請求項２３】
前記較正放射線源が、前記放射性医薬品源の放出率の10パーセントより少ない率で放射線を放出する、請求項１４に記載の方法。
【請求項２４】
請求項１４に記載の方法を実行するプロセッサを含む、タイムオブフライト陽電子放出イメージングデバイス。
【発明の詳細な説明】
【技術分野】
【０００１】
本発明は、デジタルイメージング分野に関する。特に、タイムオブフライト陽電子放出断層撮影(TOF-PET)イメージングシステムの較正と組み合わせて適用されることができ、その特定の用途を参照して説明されることになる。しかしながら、本発明は、陽電子放出断層撮影(PET)スキャナ、コインシデンス機能付き(coincidence-capable)ガンマカメラ医療イメージングシステム、並びに時間的な較正が行われるような他のタイプの核カメラ及び診断イメージングシステムの較正に適用可能であることを理解されたい。
【背景技術】
【０００２】
核医学においては、崩壊し、ガンマ放射線を放出する放射線同位元素を運ぶ放射性医薬品が対象物に注入される。核カメラは、そのガンマ放射線を検出し、その対象物における放射性イベントの密度を図示する診断画像を再構成する。
【０００３】
PETイメージングにおいては、反対方向に同時に放出される２個のガンマ光子を生成する陽電子消滅イベントが起こる。PETイメージングシステムは通常、ガンマ光線の放出されるペアを受信する検出器のリングを含む。同じイベントから発生したガンマ光線かどうかを決定するために、普通5-15ナノ秒である一致窓内で検出が行われたかを決定すべく、その検出の相対時間が解析される。この窓内にある放射線の検出は、同時又は一致して受信されたと考えられる。ガンマカメラは、一致してガンマ光線を受信した２つの検出器間を結ぶ(extending)光線又はラインを決定し、その放射線イベントは、この光線に沿って生じたものである。従来の再構成技術は、光線の集まりを、放射線イベントの密度を示す診断画像へと再構成するのに使用される。
【０００４】
タイムオブフライト陽電子放出断層撮影(TOF-PET)においては、各放射線イベントの一致検出間の時間が測定される。一致窓内の検出の相対時間から、その光線又は少なくともその光線の一部に沿った放射線イベントの位置が決定されることができる。約30 cm/nsで移動するガンマ放射線、直径が90-150cmのオーダにある検出器、カレントシステムクロッキング速度及びハードウェアを用いて、そのイベントの位置が約3-5cmの光線セグメントへと決定されることができる。これらの短い光線セグメントが再構成されるとき、より正確な診断画像が結果として生じる。
【０００５】
わずかナノ秒又は数ピコ秒のオーダで時間を測定するとき、測定ハードウェアの安定性が重要になる。シンチレーション結晶、フォトダイオード又は光電子増倍管、アンプ、他の電子機器部品、及びケーブルでさえ、時間、温度等によって、ドリフトし、変化する可能性がある。このドリフトに対処するために、TOF-PETスキャナを頻繁に再較正することが望ましい。TOF-PETスキャナにおいて、頻繁な再較正をすることは、一致窓を正確に保つことにも役立つ。
【発明の開示】
【発明が解決しようとする課題】
【０００６】
較正は様々な方法で行われることができる。ある技術によれば、放射性点状源が、対象物が後に配置されることになるボア内の知られた位置に配置される。これらの点状源は、様々な検出器チャネル間での相対遅延を較正するのに使用されることができる。しかしながら、正確に配置される点状源を対象物で置き換える較正手順は、時間がかかるものであり、最適な患者スループットを妨害する。
【０００７】
例えばプリアンプ又は光電子増倍管若しくはフォトダイオードにおいて、電気パルスが検出チャネルのそれぞれに導入されるという他の技術が開発されてきた。これらの人工的に挿入される電気パルスは、挿入ポイント下流から検出チャネルを較正するのに使用されることができるが、光電子増倍管又は上流電子機器におけるタイミング変動を較正することはない。
【０００８】
別の提案は、各シンチレータタイプの検出器に光源を追加するものであった。斯かる光源は、全体の検出器チャネルが較正されることを可能にする。しかしながら、光源を追加すると、重要で複雑なハードウェアをその検出器システムに追加することにつながる。
【０００９】
本発明は、上述の問題その他を克服する新規で改良された方法及び装置を提供する。
【課題を解決するための手段】
【００１０】
本発明の１つの側面によれば、診断イメージング装置が提供される。患者支持台が、イメージングボア内で対象物を支持する。その対象物には、同時にガンマ放射線ペアを放出する放射性医薬品が注入される。放射線検出器のシリンダは、その放射線ペアを検出するボアを囲む。その検出器はそれぞれ、非一様な時間変動ドリフトを持つ複数の電子検出器チャネルの対応する１つに含まれる。放射線ペアを同時に放出する複数の較正放射線源は、放射線検出器のシリンダ内部で、かつ、その対象物の外側に配置される。時間的較正メモリは、非一様な検出器チャネルドリフトを訂正し、一致検出器は、検出された放射線イベントのペアが選択された一致窓内で生じたかどうかを決定する。再構成プロセッサは、一致放射線ペアの検出位置を画像表現に再構成する。較正訂正プロセッサは、較正放射線源から受信される放射線ペアに基づき、時間的較正メモリを訂正する。
【００１１】
本発明の別の側面によれば、非一様な時間変化するドリフトを持つ検出器チャネルを用いて、少なくとも１つの放射性医薬品放射線核種源からガンマ放射線ペアを受信するステップと、検出器チャネルを用いて、複数の較正放射線放出源からガンマ放射線ペアを受信するステップとを有する診断イメージングの方法が提供される。非一様な検出器チャネル崩壊は、較正メモリを用いて訂正される。放射性医薬品放射線源と較正源との少なくとも１つから一致検出された放射線ペアが決定される。一致ペアの検出位置が画像表現に再構成され、非一様な時間変化するドリフトのための訂正が、較正放射線源から受信される放射線ペアに基づき調整される。
【００１２】
本発明の１つの利点は、完全な検出パスを時間的に較正する点にある。
【００１３】
本発明の別の利点は、その簡単さと、追加するハードウェアが最小である点にある。
【００１４】
本発明の更に別の利点は、診断スキャンの間に時間的な較正が行われることを可能にする点にある。
【発明を実施するための最良の形態】
【００１５】
以下の詳細な説明を読み理解すれば、本発明の更に追加的な利点が当業者には理解されるであろう。
【００１６】
本発明は、様々な要素及び要素の配置、並びに様々なステップ及びステップの配置の形式を取ることができる。図面は、好ましい実施形態の説明目的であるに過ぎず、本発明を限定するものとして解釈されるべきではない。
【００１７】
図１を参照して、PETスキャナ８は、放射線検出器１２が取り付けられるシリンダ１０を含む。通常、シリンダ１０は、直径において90-150cm、長さにおいて30-90cmである。好ましくは、受信される放射線の位置を1-5mm内に分解するよう、放射線検出器１２は十分小さい。検査される対象物１４は、中央ボア１６に位置する。ボア１６は通常、約60-90cmの表面的な(cosmetic)放射線透過な(radiotranslucent)プラスチックシリンダ１７により囲まれる。対象物１４は通常、ボア１６の中へ及び外へ同軸状に移動可能な患者支持台１８で受けられる。
【００１８】
陽電子消滅反応を伴い崩壊する放射線同位元素を含む放射性医薬品が対象物１４に注入される。通常、放射性医薬品は、シリンダ１０内の検出器１２により検出可能な約15ミリオンガンマ光線／秒を放出することになる。複数の陽電子消滅放射線源２０が、検出器シリンダ１０の内部に配置される。しかし、その位置は、対象物１４の外側にあることが知られているか又は外側にあると容易に決定可能な位置でもある。１つの実施形態においては、３つの較正放射性核種源２０が、表面的なシリンダ１７の外側に取り付けられる。好ましくは、較正源は、シリンダ１７に沿って同軸状に延在する線状源であるが、複数の点状源とすることもできる。ある極端な例では、点状源が連続的なシリンダを効率的に形成するよう、表面的シリンダ１７は、較正放射線核種源で完全に覆われることができる。好ましくは、較正放射線源２０は、放射線医薬品の約１０分の１の数の検出可能なガンマ光線を放出する。
【００１９】
好ましくは、較正放射線核種源２０は、対象物のイメージングの間ある場所に添付された状態のままになっている。また、較正放射線核種２０は、除去され、望むならいつの時点ででもPETスキャナ８に再挿入されることができる。１つの手法において、較正放射線核種源２０は、対象物１４が導入される前に、PETスキャナ８を較正するのに使用される。較正が完了した後、較正放射線核種源２０は除去され、対象物１４はPETスキャナ８に導入される。
【００２０】
各検出器チャネル２２は、検出器１２と、増幅、フィルタリング、又は他の拡張といった検出器１２の出力を処理する関連電子機器２３との１つを含む。ある実施形態においては、その検出器は、シンチレータ要素(図示省略)、及び、関連電子機器のプリアンプ(図示省略)により出力が増幅されるフォトダイオード又は光電子増倍管(図示省略)を含む。シンチレータ要素は、例えば、クリスタル、光ガイド及びフォトカソード又はダイオードから作られることができる。この態様で、シンチレータ要素は、受信されるガンマ光線を光子へ変換する。フォトダイオード又は光電子増倍管は、シンチレーション要素から光出力を読み出し、斯かる光を例えば電圧又は電流といった電気信号に変換する。プリアンプによる検出時間訂正要素２４への送信前にこの信号は増幅される。受信される放射線を直接電気出力に変換するソリッドステート検出器といった他の放射線検出器も想定される。
【００２１】
検出時間要素２４は、時間的較正メモリ２６から他の検出器チャネルに対する相対遅延時間に関する情報を受信する。ある実施形態において、その相対遅延情報は、チャネルの測定される遅延に追加されるとき、そのチャネルが事前選択される遅延を持つことをもたらす遅延期間の形式である。その事前選択される遅延はすべてのチャネルに対して共通である。訂正された遅延で検出される信号は、一致的に(例えば、5ナノ秒以内に)検出されるイベントを探す一致検出器に送られる。
【００２２】
より詳細には、検出器１２が放射線を検出すると、その検出器の位置が、チャネルの遅延を調整する遅延を(例えば、ルップアップテーブルから)供給する時間的較正メモリ２６に通信される。好ましくは、時間的較正メモリ２６は、最初は陽電子消滅ファントムを用いて較正されるが、以下に述べられるように動的に完全に較正されることもできる。検出される放射線イベントの位置及びタイミングは、事前選択された一致窓内に検出された放射線イベントのペアをマッチさせる一致検出器２８に通信される。その一致窓内で一意なペアとならないイベントは捨てられる。
【００２３】
一致ペアの位置を特定する座標情報と、その検出の相対時間とが一致ペアメモリ３０に格納される。検出座標は、各検出される放射線イベントが生じた光線に沿ってその端点を特定する。TOFスキャナにおいて、タイムオブフライト検出器３２は、その光線に沿って放射線イベントが発生した場所を決定するため、一致イベントの検出間の相対時間を調べる。現在の技術を用いて、その光線に沿った放射線イベントの位置は、約3-5cm内で決定されることができる。開発が続けられれば、その光線に沿った放射線イベントの位置が決定される精度は改善するであろうことが予想される。オプションで、標準化された遅延を追加するのではなく、タイムオブフライト計算において検出時間訂正がなされることができる。光線セグメントプロセッサ３４は、光線セグメントを決定する。各検出される放射線イベントは、各検出されるペア(例えば、一致ペアメモリ３０に格納されるものとして)及びタイムオブフライト情報(例えば、タイムオブフライト検出器３２に格納されるものとして)の座標からその光線セグメントに沿って生じる。
【００２４】
再構成プロセッサ３６は、光線セグメントを、放射線イベントの密度を表すボリュメトリックな診断画像表現に再構成する。その診断画像表現は、診断画像メモリ３８に格納される。ビデオプロセッサ４０は、画像メモリ３８からデータを取得し、それを、例えばビデオモニタ、プリンタ又は中央記録電子ストレージといった出力デバイス４２に表示するのに適した形式及びフォーマットに変換する。制御インタフェース４４を用いる操作者は、ビデオプロセッサ４０に、表示される画像の性質に関する指示を行う。例えば、ボリュメトリック画像表現の２次元投影、ボリュメトリック画像表現を通るスライス、最大密度投影(maximum intensity projections)、表面レンダリング等、様々な画像フォーマットが想定される。
【００２５】
時間的較正訂正プロセッサ４６は、較正放射線源２０から受信される放射線に基づき、時間的較正メモリ２６に対する訂正を決定する。図示される実施形態において、較正源識別ルーチン４８が、較正放射線源に起因する放射線イベントのペアを特定する。好ましくは、それらが再構成画像表現に表示されないよう、較正源からのイベントが再構成プロセッサ３６に到達することからブロックされることを、較正源識別器４８がもたらす。
【００２６】
較正源２０を特定するため様々な技術が用いられることができる。例えば、放射線源２０の知られた位置に関連付けられる光線軌跡及び相対検出時間が、較正放射線源からのイベントを特定することになる。図示される実施形態において、そこでは、較正源２０が患者を受けるシリンダ１３の外側に配置されているが、較正源２０はすべて、対象物からの放射線イベントよりも更に偏心して(eccentrically)配置される。この位置取りを用いると、タイミング情報だけに基づき、較正放射線源２０に起因するペアが特定されることができる。しかしながら、決定をより正確にするため、及び複数の較正放射線源２０のうちどれがその放射線を放出したかを特定するため、位置又は光線情報が含まれることができる。好ましくは、較正源識別器４８も、検出されたガンマ光線のペアがどの較正源２０に起因するかを特定する。その位置は、正確に再構成される必要はない。一旦、最も近接する較正放射線源２０が特定されると、その正確な位置が較正源位置メモリ５０から取得される。時間的差分時間ルーチン５２は、検出間に測定されるべきタイムオブフライト又は時間的差分を決定するため、較正放射線源２０の正確に知られた位置と、較正ペアを受信した放射線検出器１２の位置とを用いる。時間的較正エラールーチン５４は、タイムオブフライト検出器３２からの測定されたタイムオブフライト時間差を、時間的差分時間ルーチン５２からの計算された時間差と比較する。
【００２７】
ある手法において、テーブル較正時間(table calibrated time)が、検出器チャネルペアとタイミングエラー情報とを受信し、かつ時間的較正メモリ又はルックアップテーブル２６に対する適切な訂正をする時間的較正更新ルーチン５６を用いて決定される。好ましい実施形態において、各チャネルに対する適切な訂正を決定するため、時間的較正更新ルーチン５６は、複数の検出器チャネルペアとタイミングエラーデータセットとを受信し、そのセットの統計的な解析を行う。
【００２８】
較正放射線源２０は、例えば、患者ボア１４の内側に、患者支持台１８に添付されるか、又は埋め込まれる形で他の位置に配置されることができる。選択的に又は追加的に、患者データから一意に区別されることができる、知られた又は正確に決定可能な位置に位置源２０が置かれることができる。
【００２９】
現在述べられる時間的較正訂正システム４６は、タイムオブフライト画像再構成と共に、又はそれなしで用いられることができる。タイムオブフライト測定無しに再構成に入る従来のPETスキャナでもなお、上述の態様で時間的較正ルックアップテーブルが再較正されることから利益を得ることができる。
【００３０】
図２は、ポストプロセッシングの実施形態を示す。対処物１１４及び較正源１２０からの放出は検出器１１２により受信され、信号プロセッサ１２３を含む検出器チャネル１２２を介して送信される。その信号は、放出を受信し処理するチャネルにおける固有の遅延変化を補償するため以前に較正された遅延訂正要素１２６を用いる検出時間訂正要素１２４に送信される。この態様で、データチャネル１２２のそれぞれにある要素と検出時間訂正要素１２４とに関連付けられる遅延が特定されることができ、遅延訂正要素１２６を用いて補償されることができる。遅延訂正要素１２６は、ハードウェア及び／ソフトウェア資源を用いて斯かる補償を提供することができる。検出時間要素１２４からのデータは、事前選択された一致窓内で検出される放射線イベントのペアをマッチングする一致検出器１２８へ送信される。リストモードストレージ１３０は、斯かる一致ペアを格納し、各一致ペアに関連付けられる時間スタンプと共にこのデータを訂正プロセッサ１５６に送信する。
【００３１】
時間的較正訂正プロセッサ１４６は、較正放射線源１２０からの受信放射線に基づき、訂正時間に対する訂正を決定する。図示される実施形態において、較正源識別ルーチン１４８が、較正放射線源１２０に起因する放射線イベントのペアを特定する。一旦、最も近接する較正放射線源１２０が特定されると、その正確な位置が較正源位置メモリ１５０から取得される。検出間に測定されるべきタイムオブフライト又は時間的差分を決定するため、時間的差分時間ルーチン１５２は、較正放射線源１２０の正確に知られた位置と、較正ペアを受信した放射線検出器１１２の位置とを用いる。時間的較正エラールーチン１５４は、タイムオブフライト検出器１３２からの測定されたタイムオブフライト時間差を、時間的差分時間ルーチン１５２からの計算された時間差と比較し、同時に検出されるペアの訂正時間に対する適切な調整を決定する。例えば、時間的較正訂正プロセッサ１４６は、周期的に、例えば１０秒おき又は１００秒おきに時間的訂正を決定する。その決定された訂正は、訂正プロセッサ１５６に送信され、次の時間的訂正が計算されるまで連続的なイベントのために使用される。また、時間的訂正が時間的訂正決定の別の選択された時間的窓内の一致ペアに適用されることができる。
【００３２】
リストモードストレージからのデータは、訂正プロセッサ１５６により適切に調整され、オプションで、訂正済データメモリ又はバッファ１３１に格納される。その光線に沿って放射線イベントが生じた場所を決定するために、タイムオブフライト検出器１３２は、一致イベントの検出間のこの訂正済み相対時間を調べる。光線セグメントプロセッサ１３４は、タイムオブフライト検出器１３２とその訂正されたデータメモリ１３１とからの情報を受信する。再構成プロセッサ１３６は、光線セグメントプロセッサ１３４により受信される光線セグメントを再構成する。この再構成された情報は、診断画像メモリ１３８とビデオプロセッサ１４０とを介してユーザへの表示用に出力デバイス１４２へ送信される。
【００３３】
本発明は、好ましい実施形態を参照して説明されてきた。前述の詳細な説明を読み理解すれば、第三者は、修正及び変形を思いつくであろう。本発明は、こうした修正及び変形を、それらが添付された請求項又はその均等物の範囲に含まれる限りにおいて含むものであると解釈されるものである。
【図面の簡単な説明】
【００３４】
【図１】本発明によるTOF-PETカメラの図式的な説明のための図である。
【図２】本発明によるTOF-PETカメラの好ましい実施形態の図式的な説明のための図である。
【図１】
2008528996.tif 000003
【図２】
2008528996.tif 000004
【国際調査報告】
2008528996.tif 000005
2008528996.tif 000006
2008528996.tif 000007
2008528996.tif 000008
2008528996.tif 000009